(57)【特許請求の範囲】
【請求項１】
偏平に互いに重ねて綴じ糸（５）で綴じて折り丁（２）の堆積体（１）を形成し、これらの折り丁（２）の折り目（１０）により刷本の背を形成し、この背を折り丁（２）の折り目（１０）に外側から刺し通して折り目内縁部に沿って外側位置まで案内される二連の綴じ糸により互いに間隔をおいて少なくとも二つの横綴じ目（８，９）を形成し、これらの横綴じ目のうちの一つ（９）をチエーンステッチにより順次折り丁（２）の折り目（１０）から引き出して綴じ糸のループ状の部分（１２）を形成しかつこの横綴じ目を刷本（４）の厚みを決定する堆積体部分に応じて中断することにより行う、偏平に互いに重ねられて綴じ糸（５）で綴じられた折り丁（２）の堆積体（１）から刷本を造るための方法において、綴じ糸（５）を刷本（４）の最後の折り丁（２）において、チエーンステッチにより形成された横綴じ目（９）と結合してループ部分（１２）に形成し、このループ部分（１２）を折り丁（２）の折り目（１０）によって形成されるされる刷本（４）の背において或いはチエーンステッチにより形成された横綴じ目（９）においてほどけないように固定もしくは定着することを特徴とする方法。
【請求項２】
綴じ糸（５）の最後のループ状の部分（１２）を熱を供給することにより収縮作用によるか或いは形成された横綴じ目（９）と収縮作用により結合することを特徴とする請求項１に記載の方法。
【請求項３】
綴じ糸（５）の最後のループ状の部分（１２）を流動性で／硬化性の物質を供給することにより或いは溶接することにより刷本の背に固着させることを特徴とする請求項１に記載の方法。
【請求項４】
綴じ糸（５）の最後のループ状の部分（１２）を流動性の物質を供給することにより刷本の背と鋳着することを特徴とする請求項１に記載の方法。
【請求項５】
綴じ糸（５）を最後のループ状の部分（１２）を変形させることにより刷本の背に一体的にに定着させることを特徴とする請求項１に記載の方法。
【請求項６】
相対して形成されている横綴じ目（８）の刷本（４）の端部にある綴じ糸（５）を切断することを特徴とする請求項１に記載の方法。
【請求項７】
供給される折り丁のための、これらの折り丁（２）から形成された堆積体（１）を送るための、並びに綴じ糸（５）により綴じ作業を行う少なくとも二本の綴じ針（６，７）のための駆動装置および綴じ糸（５）を切断するための切断装置（１３，１４）とを備えており、上記綴じ針のうちチエーンステッチにより形成された横綴じ目（９）のためのかぎ針（１１）として形成された針（７）が折り丁（２）の折り目（１０）を通して刺通された綴じ糸（５）の位置において折り丁（２）の内部において振動する綴じ糸担持体により折り目（１０）を貫通していてかつ綴じ糸を案内する他方の針により引き継がれている様式の、偏平に互いに重ねられて綴じ糸（５）で綴じられた折り丁（２）の堆積体（１）から刷本を造るための装置において、刷本端部を形成する折り丁（２）に開放されている綴じ糸（５）のループ状の部分（１２）を形成するために、かぎ針（７）の回転運動を中断する制御装置およびループ部分（１２）を刷本（４）の背において或いはチエーンステッチにより形成された横綴じ目（９）においてほどけないように固定もしくは定着する手段が設けられていることを特徴とする装置。
【請求項８】
平坦な横綴じ目（８）の上方に設けられている切断装置（１３）が堆積体（１）の送り方向に対して横方向で移動可能に駆動されるシャー（１３）として形成されていることを特徴とする請求項７に記載の装置。
【請求項９】
綴じ糸（５）によって綴じられていてその折り目（１０）が刷本の背を形成しており、この刷本の背が折り丁（２）の折り目（１０）に外方から刺通され、折り目内縁部に沿って外側位置へと走る二連で案内される綴じ糸（５）により間隔をおいて形成されている少なくとも二つの横綴じ目（８，９）を備えており、これらの横綴じ目のうち一つ（９）が連綴りにより順次折り丁（２）のそれぞれ一つの折り丁目（１０）から引き出される綴じ糸のループ状の部分（１２）によって形成されている様式の、偏平に互いに重ねられて綴じ糸（５）で綴じられた折り丁（２）の堆積体（１）から成る刷本において、綴じ糸（５）の最後のループ状の部分（１２）が、刷本端部を形成する刷本（４）の最後の折り丁（２）において、この刷本の背において間接的に或いは直接的に固定されているか定着されていることを特徴とする刷本。
【発明の詳細な説明】
【０００１】
【産業上の利用分野】
本発明は、偏平に互いに重ねて綴じ糸で綴じて折り丁の堆積体を形成し、これらの折り丁の折り目により刷本の背を形成し、この背を折り丁の折り目に外側から刺し通して折り目内縁部に沿って外側位置まで案内される二連の綴じ糸により互いに間隔をおいて少なくとも二つの横綴じ目を形成し、これらの横綴じ目のうちの一つをチエーンステッチにより順次折り丁の折り目から引き出して綴じ糸のループ状の部分を形成しかつこの横綴じ目を刷本の厚みを決定する堆積体部分に応じて中断することにより行う、偏平に互いに重ねられて綴じ糸で綴じられた折り丁の堆積体から刷本を造るための方法に関する。
【０００２】
更に本発明は、供給される折り丁のための、これらの折り丁から形成された堆積体を送るための、並びに綴じ糸により綴じ作業を行う少なくとも二本の綴じ針のための駆動装置および綴じ糸を切断するための切断装置とを備えており、上記綴じ針のうちチエーンステッチにより形成された横綴じ目のためのかぎ針として形成された針が折り丁の折り目を通して刺通された綴じ糸の位置において折り丁の内部において振動する綴じ糸担持体により折り目を貫通していてかつ綴じ糸を案内する他方の針により引き継がれている様式の、偏平に互いに重ねられて綴じ糸で綴じられた折り丁の堆積体から刷本を造るための装置に関する。
【０００３】
また本発明は、綴じ糸によって綴じられていてその折り目が刷本の背を形成しており、この刷本の背が折り丁の折り目に外方から刺通されり折り目内縁部に沿って外側位置へと走る二連で案内される綴じ糸により間隔をおいて形成されている少なくとも二つの横綴じ目を備えており、これらの横綴じ目のうち一つが連綴りにより順次折り丁のそれぞれ一つの折り丁目から引き出される綴じ糸のループ状の部分によって形成されている様式の刷本に関する。
【０００４】
【従来の技術】
ヨーロッパ特許第０  ２９５  ２２０号から冒頭に記載した様式の方法およびこの方法を実施するための装置が公知になっているが、この方法および装置にあっては刷本を折り丁の堆積体から分離するため綴じ糸はいわゆる偏平な綴じ目の位置で堆積体が送られることにより折り丁から生じる緊張力により切断され、隣接しているループ状綴じ目或いはチエーンステッチにより形成された綴じ目において折り丁の折り目から引き出され、次いでナイフで切開かれる。この作業工程により堆積体において折り丁間に呼吸(Atmung)−作業工程における折り丁周辺における微風によるはためき−もしくは弛緩が生じ、これらが綴じ作業による刷本の安定とまとめを行う際にこのまとめ作業に不利な影響を与える。これに加えて、綴じ糸がかぎ針からナイフ近傍へと移動してナイフに引き継がれる際作業を不確実なものとするモーメントが生じる。
【０００５】
【発明が解決しようとする課題】
上記のような事情から、本発明の根底をなす課題は、綴じ糸によって綴じらることにより行われる刷本の製造が確実に行われる冒頭に記載して様式の方法およびこの方法を行うかめに使用される構造が簡単な装置およびこの方法によって形成される刷本を提供することである。
【０００６】
上記の課題は本発明による方法にあって、綴じ糸を刷本の最後の折り丁において、チエーンステッチにより形成された横綴じ目と結合してループ部分に形成し、このループ部分を折り丁の折り目によって形成されるされる刷本の背において或いはチエーンステッチにより形成された横綴じ目においてほどけないように固定もしくは定着することによって解決される。
【０００７】
この構成により、刷本を綴じ作業の後傷めることなく取出して次の加工を行うことが可能となる。
このようにして例えば付加的な空刺し或いは刷本の最後の折り丁との接着結合を行わなくて済む。
【０００８】
綴じ糸の最後のループ状の部分を熱を供給することにより収縮させて一体的にな定着を行うか、或いは形成された横綴じ目と収縮作用により結合するのが有利である。このようにして刷本の呼吸或いは綴じの部分的な弛緩が生じるのが阻止される。
【０００９】
選択的に行われる固定の様式或いは定着様式は、綴じ糸の最後のループ状部分が流動性でかつ硬化性の物質の供給の下に或いは溶接することにより刷本の背に固定することにある。
【００１０】
綴じ糸の最後のループ状の部分を流動性の物質の下に刷本の背と鋳着するのが有利である。
好都合であると分かった実施例にあっては綴じ糸は最後のループ状部分を変形させることにより刷本の背に一体的に定着される。
【００１１】
本発明による上記の方法を実施するための装置の特徴とするところは、刷本端部を形成する折り丁に開放されている綴じ糸のループ状の部分を形成するために、かぎ針の回転運動を中断する制御装置およびループ部分を刷本の背において或いはチエーンステッチにより形成された横綴じ目においてほどけないように固定もしくは定着する手段が設けられていることである。
【００１２】
更に本発明による刷本の特徴とするところは、綴じ糸の最後のループ状の部分が、刷本端部を形成する刷本の最後の折り丁において、この刷本の背において間接的に或いは直接的に固定されているか定着されていることである。
【００１３】
以下に添付した図面に図示した実施例につき本発明を詳しく説明する。
【００１４】
【実施例】
図面に示した堆積体１は矢印Ａの方向に整向されて綴じ工程が行われ、この綴じ工程のために必要とする折り丁２はそれぞれ絶えず運動している堆積体１の背面側に下方から供給される。図面からは、三つの折り丁２から成る綴じられた刷本と、綴じ工程が終わる直前の刷本とが見られる。
【００１５】
断面で図示した製造工程から見られるように、綴じられた刷本３に新たに次の刷本４のための第一の折り丁２が当接される。
この折り丁は先ず、上方に設けられている綴じ針６内に引込まれる綴じ糸５を刺通し案内するため、下方で折り目を介して内方から外方へと刺通される予備刺し針によって予め処理される。予備刺し針（図面には示されていない）を持上げ戻すと共に、綴じ糸５を供給する針６とこの針と共に二つの横綴じ目８と９を造るための針対を形成しているかぎ針７とが、加工工程中の折り丁２の折り目１０の予め刺通された孔内に刺通される。二連の状態で折り目縁部の下方へと刺通された綴じ糸５に、例えば針６を僅かに持上げて戻すことにより、ループが形成され、従っていわゆる（図示していない）綴じ糸グリッパが綴じ糸５を形成されたループにおいて把持し、横綴じ目９に所属している、相対している側へと送る。此処で綴じ糸５は刺通されているかぎ針７を待機して、綴じ糸グリッパが傾倒運動することによりかぎ１１に引渡される。引続き針６と７は加工されたばかりの折り丁２の上方の出発位置内に戻され、綴じ糸グリッパは出発位置に移動される。この際、折り丁２の上方のかぎ針７に沿って復帰力により緊張されて、折り目内縁部に沿って走っている綴じ糸５にループもしくはループ状の部分１２が形成される。
【００１６】
引続きかぎ針７は１８０°回転され、従ってかぎ１１は堆積体１の送り方向とは反対方向に整向される。かぎ針７のこの旋回により、ループ状の部分１２がかぎ針７から離れることなく、かぎ針が次の折り丁２のために降下した際更に旋回されるようにして、ホース状部分１２の連鎖が行われる。その際綴じ糸５に作用する緊張力がループ状の部分１２を次の折り丁２に対して適当な間隔で小さくする。次の折り丁２の内部の位置への途上で、かぎ針７は再びかぎ１１が堆積体１の送り方向Ａに整向されている位置に旋回する。
【００１７】
四つの折り丁２が一つの刷本３，４を形成するこの実施例にとって、この製造工程は第一の折り丁の後二度繰り返され、そして一つの刷本の四番目と最後の折り丁の場合、かぎ針７がループ状の部分１２が形成された後旋回されず、従ってこのループ状の部分は次の刷本の第一の折り丁のためにかぎ針が降下された際かぎ１１もしくはかぎ針７からずらされる。ここで綴じ糸張力は先ず相殺され、この実施例の場合切断装置１３が使用される、綴じ糸５が針６が上記のように持上げられている際に切断装置１３のエッジ１４の周囲１４に当接するように摺動される。
【００１８】
切断工程は妨げられることなく行われるようにするため、シャー様の切断装置１３を使用し、これによりループ状の部分に再び緊張された綴じ糸５がまた締付けられるのが回避される。
【００１９】
下方のシャーの上方に存在している綴じ糸５は、綴じ工程が更に行われる間に、即ち綴じ糸が連続して矢印Ａの方向で摺動する折り丁２或いは刷本３，４により二つのカッテイングエッジ間に位置決めされている際に切断される。この時点まで、綴じ糸はカッテイングエッジの上方でそれに綴じ糸がついたまま折り丁２とと共に摺動する。
【００２０】
補助的ではあるが、綴じ糸５の切断される領域は次の目板１５，１６における張力を回避するために固定するのが有利である。これらの目板は折り丁２のための保持体として、また綴じ糸５が折り丁２から引裂かれないように綴じ工程の間保護する。
【００２１】
【発明の効果】
上記の本発明による構成により、刷本を綴じ作業の後傷めることなく取出して次の加工を行うことが可能となり、また付加的な空刺し或いは刷本の最後の折り丁との接着結合を行わなくて済み、更に刷本の呼吸或いは綴じの部分的な弛緩が生じるのが阻止される。
【図面の簡単な説明】
【図１】折り丁から成る堆積体から綴じられた二つの刷本の図である。
【符号の説明】
１  堆積体
２  折り丁
３，４  刷本
５  綴じ糸
６  針
７  かぎ針
８，９  横綴じ目
１０  折り目
１１  かぎ
１２  ループ状部分
１３  切断装置
１４  カッテイングエッジ
１５，１６  目板
【図１】
0003602561.tif 000002